(57)【要約】【課題】  照明灯を付けたステッキを提供する。【解決手段】  軽量金属パイプが上下複数片に分割されたものが接合されてなる主柱と、該主柱の上端に取り付けられた握り部と、該主柱の下端に取り付けられた地面接触部材とを持つ。上部パイプ片の内部には、コイルバネが挿入された電池部と、スイッチ部と、ランプ部が内蔵される。スイッチ部では、上部パイプ片の下端に着脱自在に接続された中間パイプ片の側面に角孔が設けられる。合成樹脂で左右対称な固定部材の間にスイッチが挟持され、操作ボタンが角孔から突出する。ランプ部は合成樹脂で左右対称な固定部材の間にＬＥＤランプが挟持されてなる。パイプ片の側面に透光孔が設けられ、前記ランプの一方電極は、該パイプ片の内面に圧接され、他方電極は、パイプ片内面に沿って設けられたリード線に接続される。【選択図】        図１
2008264131.tif 000002
【特許請求の範囲】
【請求項１】
軽量金属パイプが上下複数片に分割されたものが接合されてなる主柱と、  該主柱の上端に取り付けられた握り部と、
該主柱の下端に取り付けられた地面接触部材と、
上部パイプ片の内部にコイルバネが挿入された電池部と、
前記上部パイプ片の下端に着脱自在に接続された中間パイプ片の側面に角孔が設けられ、合成樹脂で左右対称な固定部材の間にスイッチが挟持されて中間パイプ片内に固定され、操作ボタンが前記角孔から突出するようにしたスイッチ部と、
中間または下部パイプ片の側面に透光孔が設けられ、合成樹脂で左右対称な固定部材の間にＬＥＤランプが挟持されて中間または下部パイプ片内に固定され、該ランプの先端が前記透光孔に臨み、前記ランプの一方電極は、該パイプ片の内面に圧接され、他方電極は、パイプ片内面に沿って設けられたリード線に接続されランプ部とを含むことを特徴とする照明付ステッキ。
【請求項２】
前記スイッチ部において、
前記左右固定部材の接合面には、前記スイッチが収容される定置凹所が設けられ、該定置凹所から前記パイプ片の角孔に対向する部分にボタン窓が開けられ、その反対側にはスイッチ端子とリード線が収容される配線窓が残され、該空間の上壁には陽極リード線が通過する第１切欠が設けられ、前記陽極リード線の先端が係止される第２切欠が上壁上面で前記ボタン窓側に設けられ、
ランプの陽極端子に至る陰極リード線が通過する第３切欠が配線窓に設けられたことを特徴とする請求項１記載の照明付ステッキ。
【請求項３】
前記ランプ部において、
前記左右固定部材の接合面には、前記ランプが収容される定置凹所が設けられ、該定置凹所から前記パイプ片の透光孔に対向する部分に導光路が開けられ、その反対側にはランプ電極とリード線が収容される空間が残され、
該空間内には上下に長い導電性当て板が前記パイプ片内面との間に通電状態で固定され、該当て板には前記ランプの陰極が接続され、前記ランプの陽極には、前記スイッチ部からのリード線が接続されたことを特徴とする請求項１記載の照明付ステッキ。
【請求項４】
前記電池部の接続部において、
前記上側パイプ片の下端部は外径を太くされ、
前記下側パイプ片の上端部は、前記上側パイプ片の下部の外側に嵌合されるように外径を太くされ、
前記下側パイプ片の上部大径部とその下側の小径部との境界部の斜面部には、下方に向かって長い角孔が開けられ、
前記下側パイプ片の上部大径部の外面には外ネジが設けられ、
該外ネジには、外面に縦ローレット加工が施され、内面に内ネジを持つ開閉ネジ筒が着脱自在に螺合されたことを特徴とする請求項１または２または３記載の照明付ステッキ。
【請求項５】
前記電池ケース部を除く他の接続部において、
前記上側パイプ片の下端部は外径を太くされ、小径部に切越し孔が設けられ、
前記下側パイプ片の上端部は、前記上側パイプ片の下部の内側に嵌合されるように、２段に絞られて第１小径部、第２小径部が形成され、該第２小径部に切越しが形成され、
前記前記上側パイプ片の下端部大径部と小径部に、各々前記下側パイプ片の第１小径部、第２小径部が圧入され、切越し孔に切越しが嵌まって圧入され接合されたことを特徴とする請求項１または２または３または４記載の照明付ステッキ。
【発明の詳細な説明】
【技術分野】
【０００１】
本発明は、照明付きステッキに関するものである。
【背景技術】
【０００２】
最近の高齢者の行動力は目を見張るものがある。それを支えるため、各種のステッキが販売され、利用者も増加している。
【発明の開示】
【発明が解決しようとする課題】
【０００３】
しかしながら従来において、夜間の外出に際して特に散歩等で暗がりを歩くことは、交通安全上、治安上も危険が伴い、問題である。このため、懐中電灯等の照明器具を併せて携行すれば、両手が塞がり心身の安全上にも問題があった。
本発明は照明灯を付けたステッキを提供することを目的とする。
【課題を解決するための手段】
【０００４】
本発明の照明灯を付けたステッキは、軽量金属パイプが上下複数片に分割されたものが接合されて主柱となり、該主柱の上端に握り部、下端に地面接触部材が取り付けられている。主柱の内側に電池部，スイッチ部，ＬＥＤ（発光ダイオード）ランプ部が収容されている。
【０００５】
本発明の第１課題解決手段は、軽量金属パイプが上下複数片に分割されたものが接合されてなる主柱と、該主柱の上端に取り付けられた握り部と、該主柱の下端に取り付けられた地面接触部材と、上部パイプ片の内部にコイルバネが挿入された電池部と、前記上部パイプ片の下端に着脱自在に接続された中間パイプ片の側面に角孔が設けられ、合成樹脂で左右対称な固定部材の間にスイッチが挟持されて中間パイプ片内に固定され、操作ボタンが前記角孔から突出するようにしたスイッチ部と、中間または下部パイプ片の側面に透光孔が設けられ、合成樹脂で左右対称な固定部材の間にＬＥＤランプが挟持されて中間または下部パイプ片内に固定され、該ランプの先端が前記透光孔に臨み、前記ランプの一方電極は、該パイプ片の内面に圧接され、他方電極は、パイプ片内面に沿って設けられたリード線に接続されランプ部とを含むことである。
【０００６】
本発明の第２課題解決手段は第１課題解決手段に加え、前記スイッチ部において、前記左右固定部材の接合面には、前記スイッチが収容される定置凹所が設けられ、該定置凹所から前記パイプ片の角孔に対向する部分にボタン窓が開けられ、その反対側にはスイッチ端子とリード線が収容される配線窓が残され、該配線窓の上壁には陽極リード線が通過する第１切欠が設けられ、前記陽極リード線の先端が係止される第２切欠が上壁上面で前記ボタン窓側に設けられ、ランプの陽極端子に至る陰極リード線が通過する第３切欠が配線窓に設けられたことである。
【０００７】
本発明の第３課題解決手段は第１課題解決手段に加え、前記ランプ部において、前記左右固定部材の接合面には、前記ランプが収容される定置凹所が設けられ、該定置凹所から前記パイプ片の透光孔に対向する部分に導光路が開けられ、その反対側にはランプ電極とリード線が収容される空間が残され、空間内には上下に長い導電性当て板が前記パイプ片内面との間に通電状態で固定され、該当て板には前記ランプの陰極が接続され、前記ランプの陽極には、前記スイッチ部からのリード線が接続されたことである。
【０００８】
本発明の第４課題解決手段は第１または第２または第３課題解決手段に加え、前記電池部の接続部において、前記上側パイプ片の下端部は外径を太くされ、前記下側パイプ片の上端部は、前記上側パイプ片の下部の外側に嵌合されるように外径を太くされ、前記下側パイプ片の上部大径部とその下側の小径部との境界部の斜面部には、下方に向かって長い角孔が開けられ、前記下側パイプ片の上部大径部の外面には外ネジが設けられ、該外ネジには、外面に縦ローレット加工が施され、内面に内ネジを持つ開閉ネジ筒が着脱自在に螺合されたことである。
【０００９】
本発明の第５課題解決手段は第１または第２または第３または第４課題解決手段に加え、前記電池ケース部を除く他の接続部において、前記上側パイプ片の下端部は外径を太くされ、小径部に切越し孔が設けられ、前記下側パイプ片の上端部は、前記上側パイプ片の下部の内側に嵌合されるように、２段に絞られて第１小径部、第２小径部が形成され、該第２小径部に切越しが形成され、前記前記上側パイプ片の下端部大径部と小径部に、各々前記下側パイプ片の第１小径部、第２小径部が圧入され、切越し孔に切越しが嵌まって圧入され接合されたことである。
【発明の効果】
【００１０】
本発明により、夜間の外出に際して、ステッキ使用者の交通安全上、治安上および心身の安全上に貢献するところが大である。
【発明を実施するための最良の形態】
【００１１】
以下に本発明の一実施例を図面に基づき説明する。図１において、軽量金属パイプが上下複数片に分割されたものが接合されて主柱１０となり、該主柱の上端に握り部１、下端に地面接触部材２と取り付けられている。そして、主柱１０の内側に電池部２０，スイッチ部３０，前ランプ部４０および足元ランプ部５０が収容されている。
【００１２】
さて本発明では、最近、とみに注目を浴び出したＬＥＤの、長寿命，省電力，高効率という特徴に注目し、これをステッキに組み込み利用する。電源には、単三電池を２個使用する。光源（ランプ）の位置は、足元用として、地上高１５〜２５ｃｍ、前照灯用として、地上高５０〜６５ｃｍの２カ所に設ける。握り部１の近傍にスイッチ３２を装備し、スイッチはＯＮ・ＯＦＦタイプとする。
【００１３】
本発明のステッキの本体は、軽量金属パイプ（例えばアルミ，薄肉厚の鉄等）を主材として、ステッキとなる主柱を上下に複数に分割して製作し、その各々を接合して完成品とする。分割することによって、加工が容易になり、またパイプ内に挿入する部品が挿入し易くなる等の利点が生じる。各接合部は、ピーディング加工等により、パイプ径を太くまたは細く変化させている。
【００１４】
このようなステッキをもって歩行すれば、走行中の自転車からもよく見え、周囲も明るくなるので、犯罪への安全も高まり、物や路上の凹凸、石ころ等によるつまずきも防げるので有益である。
【００１５】
さて図２に示す前記電池部２０において、
最上部パイプ片１１の上端に握り部１が固定され、その接続部は飾りリング等で化粧する。パイプ片の内側に台形型に巻いたコイルバネ２１が挿入される。コイルの最大外径は、パイプの内径より少し大きくされる。従って、挿入後はその弾性変形性（復元性）でパイプ片の内面に密着し、摩擦力が生じて落下することはなく、また、パイプ片とバネは電気導通状態となる。
【００１６】
図２〜５に示す前記スイッチ部３０において、
パイプ片１２の側面に角孔１２ａが設けられ、この角孔に臨んでパイプ片の内側には、合成樹脂で成型された左右対称な固定部材３１，３１が収容固定される。該左右固定部材の間に上下２組の小型スライドＯＮ・ＯＦＦスイッチ３２，３３が挟持され、パイプ内片に圧入されて固定され、操作ボタン３２ｃ，３３ｃが前記角孔１２ａから突出する。上スイッチ３２は前ランプ部４０，下スイッチ３３，足元ランプ部５０のためのものである。
【００１７】
図５において、前記固定部材３１，３１は左右片が接合された状態で短円柱体を呈し、左右片が接合面に対して対称の状態である。そして、接合面に対する背面側が接合面に平行な平面で切除された外周切欠３１ｆとなり、パイプ片との間に空間が残される。
【００１８】
図６において、前記左右固定部材３１，３１の接合面には、前記スイッチが収容される定置凹所３１ａが上下２カ所に設けられる。該定置凹所から前記パイプ片の角孔１２ａに対向する部分にボタン窓３１ｂが開けられる。その反対側にはスイッチ端子（陽極３２ａ，３３ａ，陰極３２ｂ，３３ｂ）と、陽極リード片３２ｄ，３３ｄ、陰極リード線３２ｅ，３３ｅが収容される配線窓３１ｃが残される。
【００１９】
図２，５，６において、該配線窓３１ｃの上壁には、陽極リード片３２ｄが通過する第１切欠３１ｄが設けられ、前記陽極リード片３２ｄの先端が係止される第２切欠３１ｅが、上壁上面で前記ボタン窓３１ｂ側に設けられる。そして、前記電池２２の陽極が接触する。陰極リード線３２ｅは、配線窓３１ｃから第３切欠３１ｇを経て背面側の外周切欠３１ｆとパイプ片との間の空間を通って下方に向かい、後記の上ランプ４２の陽極端子４２ａに至る
【００２０】
また、下スイッチ３３は上スイッチ３２と同姿勢で配置され、電気的に並列となっており、前記陽極リード片３２ｄに陽極リード片３３ｄが第１切３１ｄを経て接続される。また、下ランプ４３の陽極端子４３ａに至る陰極リード線３３ｅは、配線窓３１ｃから第３切欠３１ｇを経て、背面側の外周切欠３１ｆとパイプ片との間の空間を通って下方に向かい、後記の下ランプ４３の陽極端子４３ａに至る。
【００２１】
図７〜１０に示すランプ部４０において、
パイプ片１２の側面に透光孔１２ｂが設けられ、この透光孔に臨んでパイプ片の内側には、合成樹脂で成型された左右（図８で上下）対称な固定部材４１，４１が収容固定される。該左右固定部材４１，４１の間に上下２組のＬＥＤランプ４２，４３が、前下がり投光軸線を平行にして挟持され、パイプ片内に圧入されて固定される。ランプの固定部材４１をパイプ片に圧入する際、パイプに左右より圧力を加えることにより、パイプを歪ませ、挿入を容易に行うことができる。該ランプの先端が前記透光孔１２ｂに臨む。
【００２２】
前記固定部材４１，４１は左右片が接合された状態で短円柱体を呈し、左右片が接合面に対して対称の状態である。そして、接合面に対する背面側には、接合面に平行な平面の底を持つ溝で切除された第１外周切欠４１ｄが設けられ、接合面の一端には、接合面に垂直な平面の底を持つ溝で切除された第２外周切欠４１ｅが設けられ、各々パイプ片との間に空間が残される。
【００２３】
前記左右固定部材４１の接合面には、前記ランプが収容される定置凹所４１ａが設けられる。該定置凹所から前記パイプ片１２の透光孔１２ｂに対向する部分に導光路４１ｂが開けられ、その反対側にはランプ電極とリード片が収容される空間４１ｃが残され、第２外周切欠４１ｅに通じる。
【００２４】
前記第２外周切欠４１ｅによる空間内には、上下に長い導電性当て板４４が前記パイプ片内面との間に通電状態で固定される。該当て板４４には前記ランプの陰極４２ｂが接続される。即ち、上ランプの陰極４２ｂは空間４１ｃを経て折り曲げられ、当て板４４を介して、パイプ片に圧接させることにより、パイプ自身を片側電路とする。
【００２５】
図１０，１１において、前記上ランプの陽極４２ａには、前記スイッチ部３０からのリード線３２ｅが接続される。即ち、定置凹所４１ａから第１外周切欠４１ｄへ貫通して、電極貫通孔４１ｆが設けられる。そして、これを通過したランプ電極の他方４２ａは曲げられて第１外周切欠４１ｄに至り、上スイッチからのリード線３２ｅに接続される（例えば、パイプ片に挿入される前に接続）。図９，１２において、前記下ランプ４３の陰極、陽極の接続状態は、前記上ランプ４２のものに対し、左右片の接合面に対して対称の状態となっている。
【００２６】
また、図１に示すように、前記前ランプ部４０と同様な足元ランプ部５０が、足元照灯部として下部パイプ片１３の内側に設けられてもよい。この場合は前記スイッチ部３０のもう１組が設けられる。
【００２７】
さらに、図１３〜１４に示すものは、足元ランプ部として前方と後方と照らす実施例６０である。即ち、上下２組のＬＥＤランプが、前方用の前下がり投光軸線と後方用の後下がり投光軸線を交差させて、左右固定部材６１，６１で挟持され、該ランプの先端が透光孔に臨む。同じ部分の４０代は６０代で示される。ここで、第２外周切欠６１ｅは定置凹所６１ａの電極側で、後面上半部と前面下半部に設けられる。
【００２８】
ここで、パイプ片の接合は次のように実施される。図２，３，４に示す前記電池部２０の接続部において、前記上側パイプ片１１の下端部は外径を太くされ、前記下側の中間パイプ片１２の上端部は、前記上側パイプ片の下部の外側に嵌合されるように外径を太くされている。前記下側パイプ片１２の上部大径部とその下側の小径部との境界部の斜面部には、前記角孔１２ａが下方に向かって長く開けられている。
【００２９】
このとき、前記スイッチ用角孔１２ａがパイプ斜面部より設けてあるので、スイッチの操作ボタン３３はパイプに当たらずに入り込む事ができる。即ち、図３の拡大図において、左右固定部材の間にスイッチ３２，３３が挟持された状態で、操作ボタンは突出している。これを下側パイプ片１２の上部大径部から挿入してゆくとき、操作ボタンはパイプの内面には当たらない。そして、角孔１２ａの斜面部からパイプの小径部に至ると、操作ボタンは角孔１２ａから突出して出てくる。そして、パイプ内片に圧入されて固定され、操作ボタン３２ｃ，３３ｃが前記角孔１２ａから突出する。
【００３０】
前記下側パイプ片１２の上部大径部の外面には外ネジが設けられ、該外ネジには、外面に縦ローレット加工が施され、内面に内ネジを持つ開閉ネジ筒（黄銅等の金属製）４が着脱自在に螺合される。開閉ネジ筒４は、握り部１を取り付け加工する前に上側パイプ片１１に通され、そのアゴ部１１ａで回転が停止できる。
【００３１】
図７に示す前記電池部２０を除く他の接続部において、
前記中間パイプ片１２の下端部は外径を太くされ、小径部に切越し孔１２ａが設けられる。また、前記下部パイプ片１３の上端部は、前記中間パイプ片の下部の内側に嵌合されるように、２段に絞られて第１小径部、第２小径部が形成され、第２小径部に切越し１３ａが形成される。そして、前記前記中間パイプ片１２の下端部の大径部、小径部に、各々前記下部パイプ片１３の第１小径部、第２小径部が圧入され、切越し孔１２ａに切越し１３ａが嵌まって接合される。
【００３２】
このように、複数のパイプ片の接合（開閉ネジ筒４の部分を除く）は、図７に示す接合部のごとく、上部となる側のパイプ片はパイプの肉厚程度太くし、下部側のパイプ片は２段に絞って嵌合し、一カ所程度に切り越しを作り、圧入することにより接合する。こうすることにより、確実に固定することができる。上部側パイプ片を外側に出るように接合するのは、使用状態では上方から下方へ向かって荷重が加わるためであるとともに、雨水の侵入を防ぐためである。
【００３３】
本発明は前記した実施例や実施態様に限定されず、特許請求の範囲および範囲を逸脱せずに種々の変形を含む。
【産業上の利用可能性】
【００３４】
本発明はステッキに利用される。
【図面の簡単な説明】
【００３５】
【図１】本発明の一実施例の側面図である。
【図２】図１の上半部の拡大断面図である。
【図３】図２の要部拡大断面図である。
【図４】図２の要部右側面図である。
【図５】図２のＸ５−Ｘ５拡大断面図である。
【図６】図２の要部拡大斜視図である。
【図７】図１の上半部（ランプ）の拡大断面図である。
【図８】図７のＸ８−Ｘ８拡大断面図である。
【図９】図７の要部拡大斜視図である。
【図１０】図７の要部拡大斜視図である。
【図１１】図８に対応した説明図である。
【図１２】図８に対応した説明図である。
【図１３】ランプ部の他の実施例の拡大斜視図である。
【図１４】ランプ部の他の実施例の拡大斜視図である。
【符号の説明】
【００３６】
１  握り部
２  地面接触部材
３  開閉ネジ筒
１０  主柱
１１  上部パイプ片
１１ａ  アゴ部  
１２  中間パイプ片
１２ａ  角孔
１２ｂ  透光孔
１３  下部パイプ片
１３ａ  切り越し
２０  電池部
２１  コイルバネ
２２  電池
３０  スイッチ部
３１  固定部材
３１ａ  定置凹所
３１ｂ  ボタン窓
３１ｃ  配線窓
３１ｄ  第１切欠
３１ｅ  第２切欠
３１ｆ  外周切欠
３２  上スイッチ
３２ａ  陽極端子
３２ｂ  陰極端子
３２ｃ  操作ボタン
３２ｄ  陽極リード片
３２ｅ  陰極リード線
３３  下スイッチ
３３ａ  陽極端子
３３ｂ  陰極端子
３３ｃ  操作ボタン
３３ｄ  陽極リード片
３３ｅ  陰極リード線
４０  前ランプ部
４１  固定部材
４１ａ  定置凹所
４１ｂ  導光路
４１ｃ  空間
４１ｄ  第１外周切欠
４１ｅ  第２外周切欠
４１ｆ  第３外周切欠
４２  上ランプ
４２ａ  陽極
４２ｂ  陰極
４３  下ランプ
４３ａ  陽極
４３ｂ  陰極
４４  当て板
５０  足元ランプ部
６０  足元ランプ部
【図１】
2008264131.tif 000003
【図２】
2008264131.tif 000004
【図３】
2008264131.tif 000005
【図４】
2008264131.tif 000006
【図５】
2008264131.tif 000007
【図６】
2008264131.tif 000008
【図７】
2008264131.tif 000009
【図８】
2008264131.tif 000010
【図９】
2008264131.tif 000011
【図１０】
2008264131.tif 000012
【図１１】
2008264131.tif 000013
【図１２】
2008264131.tif 000014
【図１３】
2008264131.tif 000015
【図１４】
2008264131.tif 000016